(57)【要約】      （修正有）【課題】フェンスと、フェンスと同じ部材を用いて簡易に組み立てられ、防水性に優れる物置とを有する物置ユニットを提供する。【解決手段】物置ユニットは、フェンス１２と、フェンス１２の後方に設置される物置１４とを有する。フェンス１２は、少なくとも２本の支柱１８，２０と、２本の支柱１８，２０の間に設けられる長手材２２とを備える。物置１４は、背壁と、側壁と、上壁とを備える。背壁は、長手材２２の後方で２本の支柱１８，２０に取り付けられる。背壁、側壁、および上壁は、防水性シートを備える。上壁は、長手材２２に向かって低くなるように傾斜している。上壁の上には、天板４２が設けられている。【選択図】図１２
0003191185.tif 000002
【実用新案登録請求の範囲】
【請求項１】
フェンスと、前記フェンスの後方に設置される物置とを有する物置ユニットであって、
前記フェンスは、少なくとも２本の支柱と、前記２本の支柱の間に設けられる長手材とを備え、
前記物置は、背壁と、側壁と、上壁とを備え、
前記背壁は、前記長手材の後方で前記２本の支柱に取り付けられ、
前記背壁、前記側壁、および前記上壁は、防水性シートを備える物置ユニット。
【請求項２】
請求項１において、
前記上壁に設けられた防水性シートが前記背壁および前記側壁の上部を覆う物置ユニット。
【請求項３】
請求項１または２において、
前記上壁は、前記長手材に向かって低くなるように傾斜しており、
前記物置は、前記上壁の上に天板をさらに備える物置ユニット
【請求項４】
請求項１から３のいずれかにおいて、
前記物置は、前面に扉をさらに備える物置ユニット。
【考案の詳細な説明】
【技術分野】
【０００１】
本考案は、フェンスと、防水性に優れる物置とを備える物置ユニットに関するものである。
【背景技術】
【０００２】
庭やウッドデッキ等の外周に設置されるフェンスには、支柱と横材を組み合わせた横板フェンスがある。また、屋外に物置が設置されることがあるが、一般的に、横板フェンスと物置は別の部材が用いられる。このため、横板フェンスと物置の配置やデザインに一体感がない。しかし、物置を横板フェンスの横材で組み立てると、横材の継ぎ目から物置の内部に雨水が浸入するおそれがある。
【考案の概要】
【考案が解決しようとする課題】
【０００３】
本考案はこのような事情に鑑みてなされたものであり、フェンスと、フェンスと同じ部材を用いて簡易に組み立てられ、防水性に優れる物置とを有する物置ユニットを提供することを目的とする。
【課題を解決するための手段】
【０００４】
本考案の物置ユニットは、フェンスと、フェンスの後方に設置される物置とを有する物置ユニットであって、フェンスは、少なくとも２本の支柱と、２本の支柱の間に設けられる長手材とを備え、物置は、背壁と、側壁と、上壁とを備え、背壁は、長手材の後方で２本の支柱に取り付けられ、背壁、側壁、および上壁は、防水性シートを備える。
【０００５】
本考案の物置ユニットにおいて、上壁に設けられた防水性シートが背壁および側壁の上部を覆うことが好ましい。本考案の物置ユニットにおいて、上壁は、長手材に向かって低くなるように傾斜しており、物置は、上壁の上に天板をさらに備えることが好ましい。本考案の物置ユニットにおいて、物置は、前面に扉をさらに備えていてもよい。
【考案の効果】
【０００６】
本考案によれば、フェンスと、フェンスと同じ部材を用いて簡易に組み立てられ、防水性に優れる物置とを有する物置ユニットが得られる。
【図面の簡単な説明】
【０００７】
【図１】本考案の実施形態に係る物置ユニットの正面図である。
【図２】本考案の実施形態に係る物置ユニットの背面図である。
【図３】本考案の実施形態に係る物置ユニットの右側面図である。
【図４】本考案の実施形態に係る物置ユニットで、図２のＡ−Ａ線で切断したときの断面模式図である。
【図５】本考案の実施形態に係る物置ユニットの背壁の組立方法を説明するための図で、（ａ）は分解側面図、（ｂ）は背壁の背面図、（ｃ）は背壁の正面図である。
【図６】本考案の実施形態に係る物置ユニットの背壁の枠体で、（ａ）は背面図、（ｂ）は（ａ）の状態での底面図、（ｃ）は（ａ）のＢ−Ｂ線断面図である。
【図７】本考案の実施形態に係る物置ユニットの組立方法を説明するための斜視図である。
【図８】本考案の実施形態に係る物置ユニットの組立方法を説明するための斜視図である。
【図９】本考案の実施形態に係る物置ユニットの組立方法を説明するための斜視図である。
【図１０】本考案の実施形態に係る物置ユニットの組立方法を説明するための斜視図である。
【図１１】本考案の実施形態に係る物置ユニットの組立方法を説明するための斜視図である。
【図１２】本考案の実施形態に係る物置ユニットの組立方法を説明するための斜視図である。
【考案を実施するための形態】
【０００８】
以下、本考案の物置ユニットについて、図面を参照しながら実施形態に基づいて説明する。なお、図面は、物置ユニット、物置ユニットを構成する部材、例えばフェンスや物置、および物置ユニットの周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は本考案の実施形態に係る物置ユニット１０の正面図である。図２は物置ユニット１０の背面図である。図３は物置ユニット１０の右側面図である。図４は、図２のＡ−Ａ線で切断したときの物置ユニット１０の断面模式図である。物置ユニット１０は、フェンス１２と、物置１４とを備える。物置１４は、フェンスの後方に設置される。すなわち、図１で示される物置ユニット１０の正面側がフェンス１２の後方となり、図２で示される物置ユニット１０の背面側がフェンス１２の前方となる。また「フェンスの後方」には、本実施形態のようにフェンスが一直線でなく折れ曲がっている場合、フェンスの直線部分の後方であるときを含む。
【００１０】
フェンス１２は、支柱１６，１８，２０を備える。支柱１６，１８，２０は、断面が正方形の角材で、木材、金属、または樹脂等からなる。本実施形態ではフェンス１２が３本の支柱１６，１８，２０を備えているが、支柱は２本以上あればよく、支柱が２本であっても、４本以上であってもよい。支柱１６，１８の間および支柱１８，２０の間には、それぞれ横材である長手材２２が設けられている。長手材２２は、長方形の板状部材で、木材や樹脂等からなる。支柱１６，１８，２０の側面に設けられたガイド２４の溝に、長手材２２の両端に設けられた板状部材が上から装着される。本実施形態では長手材２２が横材であるが、長手材は縦材であっても、格子状部材であってもよい。
【００１１】
本実施形態では、長手材２２は、下方に設置される第一長手部２６と、上方に設置される第二長手部２８から構成される。第一長手部２６は、隙間がないように前と後に交互にずらした状態で横板が配置され、ガイド２４に装着されると光の透過を遮る。また、第二長手部２８は、上下に隙間を設けた状態で横板が配置され、ガイド２４に装着されると光や風が透過する。長手材２２は、全体が光の透過を遮るようにガイド２４に装着されてもよいし、全体が光や風を透過するようにガイド２４に装着されてもよいし、これらを組み合わせたものであってもよい。
【００１２】
物置１４は、背壁３０と、側壁３２，３４と、上壁３６と、扉３８と、底板４０とを備える。背壁３０、側壁３２，３４、上壁３６、扉３８、および底板４０は、防水性シートを備えた板状部材である。背壁３０、側壁３２，３４、上壁３６、扉３８、および底板４０の詳細な構造は後述する。背壁３０の両端は、長手材２２の後方、すなわち物置１４の正面側で支柱１８，２０に取り付けられる。上壁３６は、長手材２２に向かって低くなるように傾斜しており、上壁３６の上には天板４２が設けられている。側壁３４の外側には側板４４が設けられている。
【００１３】
つぎに、物置ユニット１０の組立方法について説明する。図５から図１２は、物置ユニット１０の組立方法を説明するための図である。物置ユニット１０の組み立ての前に、あらかじめ背壁３０、側壁３２，３４、および上壁３６を作製しておく。ここでは、背壁３０の作製を例に説明する。側壁３２，３４および上壁３６も同様の方法で作製される。図５は背壁３０の作製方法を説明するための図で、（ａ）は側面を、（ｂ）は背面を、（ｃ）は正面をそれぞれ示す。背壁３０は、図５に示すように、枠体３０ａと、防止性シート３０ｂと、押さえ材３０ｃ，３０ｄとを備える。
【００１４】
図６は背壁３０の枠体３０ａを示し、（ａ）は背面図、（ｂ）は（ａ）の状態の底面図、（ｃ）は（ａ）に示すＢ−Ｂ線断面図である。枠体３０ａは、図６に示すように、４本の角材Ｌから構成されており、角材Ｌには溝Ｄがそれぞれ形成されている。そして、図５（ａ）に示すように、枠体３０ａの背面に防止性シート３０ｂを密着させた後、押さえ材３０ｃ，３０ｄを溝Ｄに差し込んで防止性シート３０ｂを枠体３０ａに取り付ける。
【００１５】
防止性シート３０ｂを枠体３０ａに取り付けると、図５（ｂ）、（ｃ）に示すように背壁３０となる。なお、防止性シート３０ｂの角は、組立工程で適宜切り取る。また、扉３８および底板４０は、このような状態の背壁３０の表面に、フェンスに用いる素材からなる板材を取り付けて作製する。背壁３０、側壁３２，３４、および上壁３６の表面にフェンスに用いる素材からなる板材を取り付けて、物置１４を作製してもよい。
【００１６】
そして、図７に示すように、地面等に固定された土台Ｆに、支柱１６，１８，２０，５０，５２を鉛直に立てて固定する。つぎに、図８に示すように、側壁３２の両端を支柱１８，５０に、背壁３０の両端を支柱１８，２０に、側壁３４の両端を支柱２０，５２に、それぞれ取り付ける。そして、図９に示すように、支柱５０，５２の間に扉３８用のレールＲおよび枠５４を取り付けた後、枠５４、背壁３０の枠体、および側壁３２，３４の枠体に、上壁３６を連結する。
【００１７】
図５に示す方法で上壁３６を作製しているので、防止性シートをまくって、上壁３６の枠体を、枠５４、背壁３０の枠体、および側壁３２，３４の枠体にネジ止めできる。このとき、防止性シートにネジ穴を開けずに連結できる。そして、まくった防止性シートを元に戻せば、上壁３６に設けられた防水性シートで背壁３０および側壁３２，３４の上部を覆うことができる。防水性シートに穴を開けずに各部材が連結できる上、防水性シートが背壁３０および側壁３２，３４の上部を覆うので、物置１４は防水性に優れている。また、上壁３６を斜めに取り付けているので、雨水が上壁３６から落ちやすい。この点でも、物置１４は防水性に優れている。
【００１８】
つぎに、図１０に示すように、ガイド２４を支柱１６，１８，２０，５０，５２に取り付け、ガイド２４に沿って長手材２２および側板４４を上から差し込んでいく。そして、図１１に示すように、天板４２を水平に取り付ける。つぎに、物置１４の内部に底板４０を敷き、図１２に示すように、扉３８を取り付ける。こうして物置ユニット１０が組み立てられる。本発明の物置ユニットは、フェンスと同じ部材を用いて物置を作製するので、デザイン性にも優れている。
【００１９】
以上、実施形態に基づいて本考案の物置ユニットを説明したが、本考案の物置ユニットは上記実施形態に限定されない。上記実施形態では、土台Ｆに支柱１６，１８，２０，５０，５２を取り付けたが、土台Ｆを使用せずに、地面に設けた穴に支柱１６，１８，２０，５０，５２の下部を入れ、コンクリート等を流し込んで固定してもよい。
【符号の説明】
【００２０】
１０  物置ユニット
１２  フェンス
１４  物置
１６，１８，２０，５０，５２  支柱
２２  長手材
２４  ガイド
２６  第一長手部
２８  第二長手部
３０  背壁
３０ａ…枠体、  ３０ｂ…防止性シート、  ３０ｃ，３０ｄ…押さえ材
３２，３４  側壁
３６  上壁
３８  扉
４０  底板
４２  天板
４４  側板
Ｌ    角材
Ｄ    溝
Ｆ    土台
【図１】
0003191185.tif 000003
【図２】
0003191185.tif 000004
【図３】
0003191185.tif 000005
【図４】
0003191185.tif 000006
【図５】
0003191185.tif 000007
【図６】
0003191185.tif 000008
【図７】
0003191185.tif 000009
【図８】
0003191185.tif 000010
【図９】
0003191185.tif 000011
【図１０】
0003191185.tif 000012
【図１１】
0003191185.tif 000013
【図１２】
0003191185.tif 000014